(57)【特許請求の範囲】
【請求項１】
展示室の前面に複数の透明板を並設するとともに、展示室の周囲にはパネルを設け、そのパネルの内側には展示室内を照明するための照明器具を配置した展示装置において、
前記パネルには照明器具を点検するための点検口を設けるとともに、その点検口の幅を照明器具の幅より広く形成し、その点検口を開閉するための蓋板を設け、前記透明板及び蓋板をそれらの一方が他方に対して整数倍の配列ピッチとなるように配列し、
前記透明板の上部に配置された上部パネルの内側には、対向端縁において互いに重合した状態で、２つのブラインド装置を交互に配置し、
前記２つのブラインド装置を、ブラインドが接近状態となるように巻き方向を異ならせて配置したことを特徴とする展示装置。
【請求項２】
前記透明板の幅を前記照明器具の幅より広く形成したことを特徴とする請求項１に記載の展示装置。
【請求項３】
前記蓋板の幅を、その蓋板の幅と照明器具の配列ピッチとの最大公約数の整数倍としたことを特徴とする請求項２に記載の展示装置。
【請求項４】
建物の内部に回廊を設け、展示装置をその回廊の壁に組み付けたことを特徴とする請求項１〜２のうちのいずれか一項に記載の展示装置。
【請求項５】
複数の透明板を引き違い開閉可能に並設し、前記蓋板を各透明板に対応して設けたことを特徴とする請求項１〜４のうちのいずれか一項に記載の展示装置。
【請求項６】
前記蓋板の幅を透明板の幅と等しくしたことを特徴とする請求項１〜５のうちのいずれか一項に記載の展示装置。
【請求項７】
前記点検口と蓋板との間の外周部に、前記照明器具からの光漏れを防止するための光漏洩防止手段を設けたことを特徴とする請求項１〜６のうちのいずれか一項に記載の展示装置。
【発明の詳細な説明】
【技術分野】
【０００１】
この発明は、例えば美術館や多目的ホール等の展示会場において、絵画、書、陶磁器等の美術品等を展示することに用いられる展示装置に関するものである。
【背景技術】
【０００２】
従来、この種の展示装置としては、例えば特許文献１に開示されるような構成が提案されている。この従来構成においては、展示ケースの内部に、美術品等の展示品を展示するための展示室が形成されている。展示室の前面上部にはパネルが設けられるとともに、展示室の前面下部には引き違い開閉可能な２枚の透明ガラスが設けられている。パネルの内側には展示室内を上方から照明するための蛍光ランプ等の上部照明器具が設けられている。
【先行技術文献】
【特許文献】
【０００３】
【特許文献１】実用新案登録第３０６１８２２号公報
【発明の概要】
【発明が解決しようとする課題】
【０００４】
この従来構成においては、上部照明器具の点検口が設けられていないため、その照明器具の点検やランプ交換等を行う場合、透明ガラスを開放して、展示室内から点検等の作業を行う必要がある。このため、作業者は無理な姿勢を強いられるため、作業性が悪いとともに、作業中に展示室内の展示品を破損するおそれがあった。
【０００５】
また、美術館等の建物においては、横長の展示室を設置することが一般化されている。この場合、展示室の前面には複数枚の透明ガラスが連続して設けられるとともに、展示室の上部のパネルの内側には複数の照明器具が展示室の前面に沿って配置されることが多い。パネルには照明器具を点検するための開閉可能な点検口が設けられることもある。
【０００６】
このように構成した場合には、展示室内の展示品の鑑賞性を向上させるため、透明ガラスの幅を製造あるいは輸送可能な最大幅の寸法に設定することが望ましい。これに対して、蛍光ランプ等の照明器具は大量生産の規格品であるため、幅（長さ）寸法の種類が限定されている。このため、展示室の上部のパネルに対して、照明器具の幅寸法に相当する開口幅の点検口を形成すると、その点検口の開口幅が透明ガラスの割り付けと不一致になり、無秩序な雰囲気となって展示装置の意匠性が低下するという問題があった。
【０００７】
この発明は、このような従来の技術に存在する問題点に着目してなされたものである。その目的は、照明器具の点検等を容易に行うことができるとともに、装置の意匠性を向上させることが可能な展示装置を提供することにある。
【課題を解決するための手段】
【０００８】
上記の目的を達成するために、この発明は、展示室の前面に複数の透明板を並設するとともに、展示室の周囲にはパネルを設け、そのパネルの内側には展示室内を照明するための照明器具を配置した展示装置において、前記パネルには照明器具を点検するための点検口を設けるとともに、その点検口の幅を照明器具の幅より広く形成し、その点検口を開閉するための蓋板を設け、前記透明板及び蓋板をそれらの一方が他方に対して整数倍の配列ピッチとなるように配列し、前記透明板の上部に配置された上部パネルの内側には、対向端縁において互いに重合した状態で、２つのブラインド装置を交互に配置し、前記２つのブラインド装置を、ブラインドが接近状態となるように巻き方向を異ならせて配置したことを特徴としている。
【０００９】
従って、この発明においては、点検口を介して照明器具の点検等を容易に行うことができるとともに、透明板と蓋板との統一感を演出できて、装置の意匠性を向上できる。
前記の構成において、前記透明板の幅を前記照明器具の幅より広く形成するとよい。
【００１０】
前記の構成において、前記蓋板の幅を、その蓋板の幅と照明器具の配列ピッチとの最大公約数の整数倍とすることが好ましい。
前記の構成において、建物の内部に回廊を設け、展示装置をその回廊の壁に組み付けるとよい。
【００１１】
前記の構成において、複数の透明板を引き違い開閉可能に並設し、前記蓋板を各透明板に対応して設けるとよい。ここで、対応とは、上下方向または水平方向において同じ位置にあることを示す。
【００１２】
前記の構成において、前記蓋板の幅を透明板の幅と等しくすることが好ましい。
前記の構成において、前記点検口と蓋板との間の外周部に、前記照明器具からの光漏れを防止するための光漏洩防止手段を設けることが好ましい。
【発明の効果】
【００１３】
以上のように、この発明によれば、装置の意匠性を向上できるという効果を発揮する。
【図面の簡単な説明】
【００１４】
【図１】一実施形態の展示装置の概要を示す平断面図。
【図２】図１の展示装置の一部を室内側から見て示す部分正面図。
【図３】図２の３−３線における拡大断面図。
【図４】図３の展示装置における展示室の上部構成を拡大して示す部分断面図。
【図５】同展示装置における展示室の下部構成を拡大して示す部分断面図。
【図６】図２の６−６線における部分拡大断面図。
【図７】図２の７−７線における部分拡大断面図。
【図８】図２の８−８線における部分拡大断面図。
【図９】透明ガラス用の下ガイドレールの溝を塞ぐための閉塞部材を示す斜視図。
【図１０】内側透明ガラスの施錠構成を示す要部斜視図。
【図１１】展示室の前面のブラインド装置を示す部分斜視図。
【発明を実施するための形態】
【００１５】
以下に、この発明を具体化した展示装置の一実施形態を、図面に従って説明する。
図１に示すように、この実施形態は、博物館や美術館等の建物において具体化されたものである。建物内の回廊２１の両側に入口２２及び出口２３が形成されている。回廊２１内の中央部には、透明ガラス等からなる区画壁２４により中庭２５が区画形成されている。前記区画壁２４は、その３面が２重ガラスによって構成されている。そして、前記中庭２５には、樹木や竹等の植え込み２６が設けられている。入口２２及び出口２３間において、回廊２１の側壁２１ａの内側には、美術品等の展示品を展示するための水平方向に長く連なる展示室２７（図２参照）が区画形成されている。
【００１６】
図３に示すように、前記展示室２７は、骨組３０に固定した天井板３１、後ろ板３２及び底板３３により、室内側の前面を開放した状態に形成されている。展示室２７の前面上部における骨組３０の側壁２１ａには上部パネル３４が配置されるとともに、展示室２７の前面下部における骨組３０の外面には腰パネル３５が配置されている。
【００１７】
図２に示すように、上部パネル３４と腰パネル３５との間において、展示室２７の前面開口には透明板としての複数枚の幅Ｗ１の透明ガラス３６が所定のピッチＰ１で水平方向に並設されている。図３に示すように、これらの透明ガラス３６は、上ガイドレール３７及び下ガイドレール３８上に引き違い開閉可能に設けられている。すなわち、図１、図２及び図８に示すように、前側透明ガラス３６Ａと後側透明ガラス３６Ｂとは、それらの側端縁において幅Ｗ５分だけ重ねた状態で前後互い違いにして連続して配置されている。なお、重ねられた前記幅Ｗ５は、僅かであるため、この実施形態においては、透明ガラス３６の配列ピッチＰ１と幅Ｗ１は等しいものとする。なお、この実施形態において、幅は、図２の左右方向の寸法を示す。
【００１８】
そして、図３に２点鎖線で示すように、前記展示室２７内において後ろ板３２の前面には、絵画や書等の薄い展示品Ｅ１が壁面に沿って展示される。また、底板３３の上面には、陶器等の立体的な展示品Ｅ２が載置状態で展示される。
【００１９】
図２〜図４に示すように、前記展示室２７の天井板３１の前部には、曇りガラス等の透光板３９が配置されている。透光板３９の上方において、上部パネル３４の内側には、展示室２７内を上方より照明するための横長形状の蛍光ランプ等よりなる複数の上部照明器具４０が、水平方向に連続した状態で配置されている。上部パネル３４の上下方向の中央部には、透明ガラス３６の並設領域に対応するように水平方向に連続する開口５１が形成されている。その開口５１内には前記骨組３０の一部を構成する縦枠５２（図７参照）が一定ピッチで配置され、この縦枠５２間によって複数の点検口４２が区画されて水平方向に連続されている。各点検口４２における骨組３０には幅Ｗ２の蓋板４１がその上部の図示しない軸を介して開閉回動可能に設けられている。この蓋板４１の幅Ｗ２は、透明ガラス３６の幅Ｗ１と等しい。蓋板４１及び点検口４２の外周部間に位置するように、骨組３０にはゴム等の弾性材料よりなる光漏洩防止手段としてのシール材６６，６７が設けられ、前記上部照明器具４０の光が回廊２１側に漏れないようになっている。なお、シール材６６，６７に換えて、骨組３０と蓋板４１との間に凹凸の関係で嵌り合う構成を採用してもよい。
【００２０】
図２に示すように、前記蓋板４１の配列ピッチＰ３が透明ガラス３６の配列ピッチＰ１に対して均等となるように割り付けされている。つまり、蓋板４１の配列ピッチＰ３が透明ガラス３６の配列ピッチＰ１と１：１の整数倍の関係で対応している。また、蓋板４１の配列ピッチＰ３，すなわち蓋板４１の幅は、その蓋板４１の幅と上部照明器具４０の配列ピッチＰ２との最大公約数の整数倍になっており、この実施形態においては、最大公約数の３倍になっている。従って、上部照明器具４０の配列ピッチＰ２が蓋板４１の幅Ｗ２よりも小さくなるように構成されている。
【００２１】
そして、幅Ｗ３を有する上部照明器具４０の配列ピッチＰ２が透明ガラス３６の幅Ｗ１よりも小さくなるように構成されている。この実施形態においては、隣り合う２枚の透明ガラス３６の間に３個の上部照明器具４０が配置される。また、図７に示すように、上部照明器具４０の幅Ｗ３，すなわち長さは点検口４２の幅より短く、かつ点検口４２は、上部照明器具４０の配列ピッチＰ２と等しいピッチで配列されている。よって、１つの点検口４２と対応して配置された上部照明器具４０について点検等の作業を行う際には、その１つの点検口４２の蓋板４１を開放すればよい。これに対して、２つの蓋板４１に跨って配置された上部照明器具４０について点検等の作業を行う際には、その２つの蓋板４１が開放される。
【００２２】
図３及び図４に示すように、前記各上部照明器具４０は、展示室２７の骨組３０に対して伸縮可能な摺動レール４３を介して、前後方向へ移動可能に支持されている。また、各点検口４２の蓋板４１は、マグネットラッチ４４により図３及び図４に実線で示す閉鎖位置に保持されるとともに、伸縮可能な支持ロッド４５により同図に鎖線で示す開放位置に保持されるようになっている。そして、上部照明器具４０の点検やランプ交換等を行う場合には、対応する点検口４２の蓋板４１を開放するとともに、上部照明器具４０を図３及び図４に実線で示す内側の照明位置から、同図に鎖線で示す外側の作業位置に移動させた状態で、展示室２７の前方から点検等の作業を行うようになっている。
【００２３】
この場合、図２及び図７に示すように、３つの上部照明器具４０に対して２つの蓋板４１が対向配置されている。また、隣接する２つの蓋板４１の側端縁間には、上部照明器具４０から回廊２１側に外部に光が漏れるのを防止するための光漏洩防止手段としての召し合わせ状の重合部４１ａが設けられている。この重合部４１ａにシール材を設けてもよい。
【００２４】
図２、図３及び図５に示すように、前記展示室２７の底板３３の前部には、曇りガラス等よりなる複数枚の透光板４６が横方向に連続した状態で開閉回動可能に配置されている。透光板４６の下方において、腰パネル３５の内側には、展示室２７内を下方より照明するための横長形状の蛍光ランプ等よりなる複数の下部照明器具４７が、展示室２７の前面に沿って横方向に連続した状態で配置されている。そして、この下部照明器具４７の点検やランプ交換等を行う場合には、対応する透明ガラス３６及び透光板４６を開放した状態で、展示室２７の前方側から点検等の作業を行うようになっている。
【００２５】
図７に示すように、前記上部パネル３４は、横長形状の基板４８の表面に複数の装飾板４９を水平方向及び上下方向に並設して構成されている。そして、前記点検口４２及び蓋板４１の端縁が上部パネル３４の装飾板４９間の目地５０とほぼ一致した位置に配置されている。なお、蓋板４１は、基板４８の一部と装飾板４９とによって構成される。ここで、前記重合部４１ａの存在のために、蓋板４１の基板４８と装飾板４９の幅は若干相違するが、蓋板４１の大きさを装飾板４９の大きさとする。そして、図２に示すように、前記透明ガラス３６の配列ピッチＰ１が装飾板４９間の目地５０のピッチＰ３、すなわち蓋板４１及び点検口４２の配列ピッチＰ３の整数倍となるように設定されている。従って、この実施形態では、透明ガラス３６の配列ピッチＰ１が装飾板４９間の目地５０のピッチＰ３と１：１の整数倍で一致するように構成されている。
【００２６】
また、図２及び図６に示すように、腰パネル３５においても、前記上部パネル３４と同様に、基板４８と装飾板４９とにより構成されている。そして、装飾板４９間の目地５０のピッチＰ３が透明ガラス３６の配列ピッチＰ１と一致するように構成されている。
【００２７】
図３及び図５に示すように、前記展示室２７内において、透明ガラス３６用の下ガイドレール３８の後部には、支持溝５３ａを有する横長形状の支持レール５３が配置されている。支持レール５３上の支持溝５３ａには、展示品Ｅ１，Ｅ２のタイトルや説明文を記載したキャプション５４が着脱可能に挿入支持される。また、支持レール５３上の支持溝５３ａには、上端のスポットライト５５ａにおいて展示品Ｅ１，Ｅ２を照明するためのライトスタンド５５の脚が着脱可能に挿入支持される。そして、図示しないが、このライトスタンド５５から延びる配線が、腰パネル３５の内側に設けられたコンセントに接続される。
【００２８】
ちなみに、従来の展示装置においては、展示品のタイトルや説明文を記載したキャプションが、展示室の前面の透明ガラスに張り付けられたり、展示品の脇に配置されたりしていた。また、展示品を照明するためのスポットライトも、展示品の脇等に配置されていた。このため、キャプション及びスポットライトの設置や撤去が面倒で時間がかかるとともに、それらの大きさ、形状、配置位置等に統一性がなくて、美観を損なうおそれがあった。また、キャプションやスポットライトの配置位置によっては、展示品の鑑賞に妨げとなることもあった。さらに、スポットライトが展示品の脇等に配置されていると、スポットライトから延びる配線が展示室内に露出して、見苦しい。
【００２９】
それに対して、この実施形態においては、キャプション５４及びライトスタンド５５の大きさ、形状、配置位置等を統一することができるため、美観を損ねたり、展示品の鑑賞に妨げとなったりするおそれを防止することができる。また、キャプション５４を繰り返し使用することができるため、経済的な効果もある。さらに、キャプション５４及びライトスタンド５５を支持レール５３上の支持溝５３ａの任意位置に着脱するという簡単な作業で、それらの設置及び撤去を行うことができるため、その作業を手早く短時間に行うことができる。しかも、ライトスタンド５５から延びる配線を展示室２７内に露出することなく延長配置することができるため、一層の美観を醸すことができる。
【００３０】
図５、図８及び図９に示すように、前記複数枚の透明ガラス３６のうちで、１枚おきに配置された後側の透明ガラス３６Ｂの下端前部と腰パネル３５の上端部との間に形成された隙間には、細長板状の閉塞部材５６が着脱可能に挿入配置されている。そして、この閉塞部材５６の配置により、下ガイドレール３８上の前方側の溝及び後側透明ガラス３６Ｂと腰パネル３５との間の隙間が塞がれるとともに、その両側の一対の前側透明ガラス３６Ａの引き違い開閉移動が規制される。
【００３１】
図８及び図９に示すように、前記閉塞部材５６の中央部には、正面ほぼＬ字状の錠止金具５７が回動可能に配置されている。そして、閉塞部材５６を後側透明ガラス３６Ｂと腰パネル３５との間に挿入配置した状態で、錠止金具５７をその先端部５７ａが閉塞部材５６内に没入した位置から突出した位置に回動させることにより、錠止金具５７の先端部５７ａが骨組３０等に設けられた図示しない錠止孔に係合される。この係合により、閉塞部材５６が配置位置に抜け止め保持されて、両側に配置された一対の前側透明ガラス３６Ａが引き違い開閉が不可能なように錠止される。
【００３２】
図８及び図９に示すように、前記閉塞部材５６の上面には、把持体５８が出没可能に配置されている。そして、閉塞部材５６が後側透明ガラス３６Ｂと腰パネル３５との間に挿入配置された状態において、錠止金具５７による閉塞部材５６の抜け止め保持を解除した後、把持体５８を閉塞部材５６内の没入位置から突出位置に回動させることにより、その把持体５８を介して閉塞部材５６を抜き取ることができる。このため、両側に配置された一対の前側透明ガラス３６Ａの錠止が解放されて、その前側透明ガラス３６Ａを引き違い開閉させることができる。
【００３３】
図５、図８及び図１０に示すように、１枚おきに配置された後側透明ガラス３６Ｂの内面の下端部には、施錠金具５９が配置されている。この施錠金具５９は、後側透明ガラス３６Ｂの内面に取り付けられたホルダ６０と、そのホルダ６０に回動及び上下動可能に支持された施錠部材６１とにより構成されている。そして、後側透明ガラス３６Ｂが所定の閉鎖位置に配置された状態で、施錠部材６１が図１０に鎖線で示す施錠位置に切換配置されることにより、施錠部材６１の下端部６１ａが骨組３０の一部に設けられた孔部材６２の施錠孔６２ａに係合して、後側透明ガラス３６Ｂが引き違い開閉不能に施錠される。
【００３４】
ちなみに、従来の展示装置においては、引き違い開閉可能な複数枚の透明ガラスのうちで、交互に配置された前側透明ガラスと後側透明ガラスとの重なり部間に施錠装置がそれぞれ設けられていた。このため、施錠装置の鍵穴等が透明ガラスの前面に露出して、美観を損なうおそれがあった。また、透明ガラスの施錠を行う場合には、複数枚の透明ガラスを１枚ずつ所定の閉鎖位置に位置決めしながら、施錠装置を施錠操作する必要があるため、施錠作業が面倒で時間がかかった。さらに、展示室の前面に複数枚の透明ガラスを引き違い開閉可能に並設した場合には、１枚おきに配置された後側透明ガラスの下端前部と腰パネル等の上端部との間に隙間が形成される。そのため、この隙間にカード等の物を落としたり、ゴミがたまったり、指を挟んだりするおそれがあって、好ましくなかった。
【００３５】
それに対して、この実施形態においては、１枚おきに配置された後側透明ガラス３６Ｂの下端前部と腰パネル３５の上端部との間の隙間が、閉塞部材５６の挿入配置により塞がれる。よって、この隙間にカード等の物を落としたり、ゴミがたまったりするおそれを防止することができる。また、閉塞部材５６が錠止金具５７によって配置位置に抜け止めされることにより、両側に配置された一対の前側透明ガラス３６Ａが移動不能に錠止されるとともに、後側透明ガラス３６Ｂがその内面下端部に設けられた施錠金具５９により閉鎖位置に施錠される。このため、錠止金具５７や施錠金具５９が透明ガラス３６の前面側に露出せず、美観を保つことができる。
【００３６】
図３、図４及び図１１に示すように、前記透明ガラス３６用の上ガイドレール３７の後部には、支持ブラケット６３が延長して形成されている。上部パネル３４の内側において支持ブラケット６３の下面には、ブラインド６５の巻き方向を異ならせた２種類の横長形状のブラインド装置６４Ａ，６４Ｂが展示室２７の前面に沿って交互に配置されている。この場合、図１１に示すように、２種類のブラインド装置６４Ａ，６４Ｂは、幅方向（左右方向）の端縁において重ね合った状態で配置されている。
【００３７】
そして、展示室２７内に展示される展示品Ｅ１，Ｅ２の大きさ等に応じて、ブラインド装置６４Ａ，６４Ｂのブラインド６５が電動によって適当位置まで下降されることにより、展示室２７の上方空間が遮蔽される。この場合、図１１に示すように、隣接するブラインド装置６４Ａ，６４Ｂは、ブラインド６５は接近状態となるように巻き方向が異なるとともに、対向端縁において互いに重合した状態で配置されている。このため、隣接するブラインド装置６４Ａ，６４Ｂのブラインド６５の端縁間から、展示室２７内の光が外部に漏れるおそれを抑制することができる。
【００３８】
なお、図１に示すように、前記回廊２１において、中庭２５を区画形成するための区画壁２４内の透明ガラスの部分にも、前記と同様な構成のブラインド装置６４Ａ，６４Ｂが設けられている。そして、このブラインド装置６４Ａ，６４Ｂのブラインド６５が下降されることにより、中庭２５の上方空間が下降量に応じて遮蔽されるようになっている。
【００３９】
そして、この実施形態によれば、以下のような効果を得ることができる。
（１）  この展示装置においては、透明ガラス３６の幅Ｗ１を上部照明器具４０の長さより広く形成し、点検口４２を形成する開口５１を複数の透明ガラス３６の並設領域に対応するように延長している。このため、既製品の照明器具４０の幅Ｗ３に規制されることなく、透明ガラス３６の幅Ｗ１を製造や運搬可能な最大幅寸法に設定することができる。展示室２７内の展示品Ｅ１，Ｅ２の鑑賞性を向上させることができるとともに、鑑賞者に対して開放感を与えることができる。
【００４０】
（２）  この展示装置においては、パネル３４に設けられた照明器具４０用の蓋板４１の幅Ｗ２が、透明ガラス３６の配列ピッチＰ１に対応して割り付けされている。このため、透明ガラス３６の幅Ｗ１の大小に関わらず、例えば、透明ガラス３６の幅Ｗ１を製造可能な最大幅に近い寸法に設定したとしても、展示装置として統一感のある意匠性に優れた外観を得ることができる。
【００４１】
（３）  この展示装置においては、上部パネル３４の前面の蓋板４１を開放すれば、照明器具４０の点検等を行なうことができるため、作業者に無理な姿勢を強いる必要がなく、点検作業を容易に行なうことができる。
【００４２】
（４）  この展示装置においては、蓋板４１の幅Ｗ２が透明ガラス３６の配列ピッチＰ１と等しくなるように構成されている。このため、外観の秩序感が増して、全体の統一感がさらに増し、展示装置の意匠性を一層向上させることができる。
【００４３】
（５）  この展示装置においては、前記照明器具４０の幅Ｗ３が透明ガラス３６の幅Ｗ１よりも小さくなるように構成されている。このため、規格品である小さな幅Ｗ３の照明器具４０を使用することができるにも拘らず、透明ガラス３６の幅Ｗ１を大きく設定することができる。
【００４４】
（６）  この展示装置においては、前記パネル３４が基板４８の表面に複数の装飾板４９を並設して構成され、前記蓋板４１の縁部がパネル３４の装飾板４９間の目地５０と一致するように構成されている。このため、展示装置の意匠性を一層向上させることができる。
【００４５】
（７）  この展示装置においては、前記照明器具４０が蓋板４１の幅より短く形成され、蓋板４１の幅を、その蓋板４１の幅と照明器具４０の配列ピッチとの最大公約数の整数倍にした。このため、一つまたは任意複数の蓋板４１を開放させることにより、横長形状の照明器具４０の点検やランプ交換等の作業を容易に行うことができる。
【００４６】
（８）  この展示装置においては、点検口４２と蓋板４１との間に、照明器具４０からの光が回廊２１側に漏れることを防止するためのシール材６６，６７が設けられている。また、隣接する蓋板４１間に同じく光が回廊２１側に漏れることを防止するための重合部４１ａが設けられている。このため、回廊２１内が不必要に明るくなって鑑賞に支障を来したり、上部パネル３４の意匠性が損なわれたりすることを防止できる。
【００４７】
（変更例）
なお、この実施形態は、次のように変更して具体化することも可能である。
・  蓋板４１の配列ピッチＰ３を透明ガラス３６の配列ピッチＰ１に対して１以外の整数倍となるように割り付けること。このようにしても、統一感のある意匠を得ることができる。蓋板４１が透明ガラス３６の配列ピッチＰ１の２以上の整数倍である場合には、蓋板４１の前面の装飾板４９を透明ガラス３６の配列ピッチと等しくしてもよい。
【００４８】
・  透明ガラス３６の配列ピッチＰ１を蓋板４１の配列ピッチＰ３に対して１以外の整数倍となるように割り付けること。このようにしても、統一感のある意匠を得ることができる。
【００４９】
・  腰パネル３５に、上部パネル３４と同様な点検口４２及び蓋板４１を設けること。
・  蓋板４１をその下端において回動可能に支持して、蓋板４１を下端を中心に開閉されるようにすること。
【００５０】
・  少なくとも一部の透明ガラス３６を側壁２１ａに対して固定すること。
・  前記実施形態においては、この発明を建物において具体化したが、建物以外のもの、例えば展示ケースにおいて具体化すること。
【符号の説明】
【００５１】
２１…回廊、２７…展示室、３０…骨組、３４…パネル、３６…透明ガラス、４０…上部照明器具、４１…蓋板、４２…点検口、４８…基板、４９…装飾板、５０…目地、５１…開口、Ｗ１…透明ガラスの幅、Ｗ２…点検口の幅、Ｗ３…上部照明器具の幅、Ｐ１，Ｐ２，Ｐ３…ピッチ、Ｅ１，Ｅ２…展示品。
【図１】
0005621462.tif 000002
【図２】
0005621462.tif 000003
【図３】
0005621462.tif 000004
【図４】
0005621462.tif 000005
【図５】
0005621462.tif 000006
【図６】
0005621462.tif 000007
【図７】
0005621462.tif 000008
【図８】
0005621462.tif 000009
【図９】
0005621462.tif 000010
【図１０】
0005621462.tif 000011
【図１１】
0005621462.tif 000012